(57)【要約】【課題】撮像装置の設置場所を制限する事無く、省電力で結露対策が可能な空気調和機を提供すること。【解決手段】撮像装置６が設置された室内機１を備える空気調和機であって、風向を制御するルーバー１１と、前記室内機１の運転開始後、空調空間が一定温度にあがるまでの間、前記ルーバー１１の向きを前記撮像装置６に風が当たらない向きに向ける制御部７とを備える。【選択図】図１
2013019547.tif 000002
【特許請求の範囲】
【請求項１】
撮像装置が設置された室内機を備える空気調和機であって、
風向を制御するルーバーと、
前記室内機の運転開始後、空調空間の温度が所定温度になるまでの間、前記ルーバーの向きを前記撮像装置に風が当たらない向きに向ける制御部とを備える、空気調和機。
【請求項２】
前記空気調和機は、空調空間の温度を検出する温度センサをさらに備え、
前記制御部は、前記温度センサが検出した温度が設定された温度になるまでの間、前記ルーバーの向きを前記撮像装置に風が当たらない向きに向ける、請求項１に記載の空気調和機。
【請求項３】
前記ルーバーは複数の羽板からなり、前記制御部は、前記撮像装置に近い羽板の向きを前記撮像装置に風が当たらない向きに向ける、請求項１に記載の空気調和機。
【発明の詳細な説明】
【技術分野】
【０００１】
本発明は、室内機に撮像装置を設置した空気調和機に関する。
【背景技術】
【０００２】
従来の空気調和機には、運転開始後早急に室内が設定温度に達するよう風を吹出すものが多いす。このような空気調和機では、室内気温が低いと、風の吹出し口に結露が生じる場合があった。この結露対策のため、直接吹出し口に風が当たらないように開口部を大きくとることが提案されている（例えば、特許文献１参照）。
【０００３】
また、一般的な撮像装置の結露対策としては、撮像装置周辺に発熱体（例えば周辺回路）を設置し、撮像装置のカバーガラス内外の温度差を低減させているものがある（例えば、特許文献２参照）。
【先行技術文献】
【特許文献】
【０００４】
【特許文献１】特開２００７−２１２０００号公報
【特許文献２】特開２００３−２８４６８６号公報
【発明の概要】
【発明が解決しようとする課題】
【０００５】
しかしながら、特許文献１に記載の手法では、空気調和機に撮像装置を設置した場合には風が当たらないように設置位置を制限しなければならないという課題がある。また、特許文献２のように、発熱体で撮像装置周辺を加熱するには、そのための電力が必要となるという問題点がある。
【０００６】
本発明は、前記従来の課題を解決するもので、撮像装置の設置位置を制限することなく、かつ省電力で結露対策が可能な空気調和機を提供することを目的とする。
【課題を解決するための手段】
【０００７】
本発明は、撮像装置が設置された室内機を備える空気調和機であって、風向を制御するルーバーと、前記室内機の運転開始後、空調空間の温度が所定温度になるまでの間、前記ルーバーの向きを前記撮像装置に風が当たらない向きに向ける制御部とを備える。
【発明の効果】
【０００８】
本発明の空気調和機は、撮像装置の結露対策として、運転開始後一定時間の間、撮像装置に風を当てないように風向がコントロールされるので、撮像装置の設置場所を制限する事無く、省電力で結露対策が可能な空気調和機を提供することが可能となる。
【図面の簡単な説明】
【０００９】
【図１】本発明の実施の形態１における空気調和機の構成を示す図
【図２】本発明の実施の形態２における空気調和機の構成を示す図
【図３】本発明の実施の形態２における空気調和機の構成を示す別の図
【図４】図２、図３の空気調和機の動作を示すフローチャート
【図５】本発明の実施の形態３における空気調和機の構成図
【発明を実施するための形態】
【００１０】
本発明は、撮像装置が設置された室内機を備える空気調和機であって、風向を制御する
ルーバーと、前記室内機の運転開始後、空調空間の温度が所定温度になるまでの間、前記ルーバーの向きを前記撮像装置に風が当たらない向きに向ける制御部とを備える。この構成により、撮像装置の設置場所を制限する事無く、省電力で結露対策が可能な空気調和機を提供することが可能となる。
【００１１】
また、前記空気調和機は、空調空間の温度を検出する温度センサをさらに備え、前記制御部は、前記温度センサが検出した温度が設定された温度になるまでの間、前記ルーバーの向きを前記撮像装置に風が当たらない向きに向ける。このように、結露が発生しないと想定される時間だけルーバーの向きを撮像装置に向けないようにしているため、最適な時間でルーバーの向きを設定された向きに変えることが可能となる。
【００１２】
また、前記ルーバーが複数の羽板からなる場合、前記制御部は、前記撮像装置に近い羽板の向きを前記撮像装置に風が当たらない向きに向ける。このように、撮像装置に近い羽板のみを撮像装置に風が当たらない向きに向けることで、他の羽板を異なる方向に向けることが可能となるため、運転開始後から利用者に好適な空調を行いつつ、結露を防止することが可能となる。
【００１３】
（実施の形態１）
以下、本発明の実施の形態について、図面を参照しながら説明する。
【００１４】
図１は、本発明の第１の実施の形態における空気調和機が備える室内機の構成を示す図である。図１において、室内機１は、前面パネル２と、撮像装置６と、ルーバー１１と、ルーバー駆動用モータ５と、制御部７と、温度センサ１０とを備えている。
【００１５】
前面パネル２は、室内機１の前面に、開閉可能に取り付けられる。撮像装置６は、前面パネル２に取り付けられる。本実施の形態１では、例示的に、撮像装置６は前面パネル２の下部中央に取り付けられる。このような撮像装置６は、空調空間（例えば室内）の状況を撮影する。なお、本願には本質的に無関係なため説明を殆ど行わないが、撮像装置６により撮影された画像は、例えば風向きを制御するために用いられる。
【００１６】
また、ルーバー１１は、前面パネル２の背後に設置されており、ルーバー駆動用モータ５により与えられる駆動力により向きを変える。制御部７は、このルーバー駆動用モータ５に制御信号（つまり指示）を出す。この制御信号に基づきルーバー１１の向きを変えることにより、室内機１からの風の向きが調整される。
【００１７】
また、室内機１には、空調空間の温度を検出するための温度センサ１０が設けられる。
【００１８】
次に、以上のように構成された空気調和機の動作について説明する。
【００１９】
運転開始後、制御部７は、ルーバー用モータ５に制御信号を与えて、ルーバー１１の向きを、撮像装置６を避ける向きに変更する。これによって、ルーバー１１からの風が撮像装置６に当たらないようにする。図１の例では、撮像装置６が前面パネル２の下部中央に設置されている。この撮像装置６を避けるように、制御部７は、室内機１から見て左右方向に風が吹き出されるようルーバー１１の向きを変更する。運転開始から一定時間（例えば７分程度）経過後、制御部７は、改めて制御信号をルーバー用モータ５に与えて、ルーバー１１の向きを、例えばリモートコントローラ（図示せず）を用いて使用者が設定した向きに変更する。このように、運転開始後一定時間の間、撮像装置３に風を当てないことで、例えば、暖房運転時であれば、冷えていた撮像装置６に急激に温風を当てた結果起こる結露を防ぎ、撮像装置６が結露しない温度まで十分に温まった後、リモートコントローラで設定された風向に調整する。
【００２０】
以上のように、本実施の形態においては、撮像装置６の結露対策として、運転開始後一定時間の間、撮像装置６に風を当てないように風向をコントロールしているので、撮像装置６の設置位置の制限を無くすことが可能となる。また、結露対策のために発熱体を準備する必要もないので、省電力化することもできる。
【００２１】
（実施の形態２）
図２、図３は、本発明の実施の形態２における空気調和機の室内機を示す図である。図２、図３は、図１と比較すると、ルーバー１１が左右ルーバー３と上下ルーバー４とから構成されることが示されている点で相違する。それ以外に相違点は無い。それ故、図２、図３において、図１の構成に相当するものには同一の参照符号を付け、それぞれの説明を省略する。
【００２２】
図２、図３において、左右ルーバー３は、室内機１から吹き出される風について、左右方向の向きを制御する。上下ルーバー４は、室内機１から吹出される風について、上下方向の向きを制御する。なお、図２、図３には、例示的に、左右ルーバー３の制御により、室内機１から吹出される風の向きとして、左風向８、右風向９が示されている。
【００２３】
また、図４は、本実施の形態に係る室内機の処理手順を示すフローチャートである。
【００２４】
以下、以上の図面を参照して、本実施の形態に係る空気調和機の室内機１の動作、作用を説明する。
【００２５】
図４において、室内機１の運転開始後、温度センサ１０は室温を検出し（ステップ１０１）、制御部７は、ルーバー用モータ５に制御信号を与えて、左右ルーバー３の風が撮像装置６に当たらない向きになるよう左右ルーバー３の向きを制御する（ステップ１０２）。
【００２６】
次に、温度センサ１０は室温を再度検出し（ステップ１０３）、制御部７は、現在の室温がリモートコントローラにより設定された温度と一致したかを判断する（ステップ１０４）。不一致の場合、上述のステップ１０３→ステップ１０４を繰り返す。室温と設定温度が一致した場合（ステップ１０４）、制御部７は、ルーバー用モータ５に制御信号を与えて、左右ルーバー３の向きを、リモートコントローラで設定された向きに変更させる（ステップ１０５）。この向き変更後の風向はリモートコントローラで設定された風向であるため、図３に示す左風向８と右風向９のように同じ方向を向く場合がある。この場合、撮像装置６に室内機１からの吹き出し風が当たる場合があるが、本実施の形態では、室温が設定温度と概ね一致する迄は撮像装置６に風が当たらないように風向制御し、その後、設定された風向に変更しているため、撮像装置６の結露を防止することができる。また、実施の形態１と同様に、撮像装置６の設置位置の制限を無くすとともに、省電力化も可能となる。また、結露が発生しないと想定される時間だけ左右ルーバー３の向きを撮像装置６に向けないようにしているため、最適な時間で左右ルーバー３の向きを設定された向きに変えることが可能となる。
【００２７】
（実施の形態３）
図５は、本発明の実施の形態３における空気調和機の室内機を示す図である。図５は、図２、図３と比較すると、左右ルーバー３を構成する各羽板の向きを個別的に制御可能である点で相違する。それ以外に相違点は無いので、図５において、図２、図３の構成に相当するものには同一の参照符号を付け、それぞれの説明を省略する。図５において、制御部７は、例えば図４のステップ１０２において、ルーバー用モータ５に制御信号を与えて、左右ルーバー３の羽板のうち撮像装置６に近くにあるもののみが撮像装置６に風が当た
らない向きになるよう制御する。そして、例えば、室温が設定温度と一致するまでの間、左右ルーバー３の各羽板の向きをこの状態を維持しても構わないし、撮像装置６の近くの羽板に限り、常にこの状態を維持するようにしても構わない。
【００２８】
このようにすることによっても、実施の形態２と同様、結露を防止することができるとともに、撮像装置６の設置位置の制限を無くすとともに、省電力化も可能となる。さらに、撮像装置６に近い羽板のみを撮像装置６に風が当たらない向きに向けることで、他の羽板を異なる方向に向けることが可能となるため、運転開始後から利用者に好適な空調を行いつつ、結露を防止することが可能となる。
【産業上の利用可能性】
【００２９】
本発明にかかる空気調和機は、結露防止とともに、撮像装置の設置位置の制限を無くし、さらには省電力化も可能であり、空気調和機だけでなく、換気扇、空気清浄機などにも適用可能である。
【符号の説明】
【００３０】
１  室内機
６  撮像装置
１１  ルーバー
３  左右ルーバー
７  制御部
１０  温度センサ
【図４】
2013019547.tif 000003
【図１】
2013019547.tif 000004
【図２】
2013019547.tif 000005
【図３】
2013019547.tif 000006
【図５】
2013019547.tif 000007